(57)【要約】【課題】  シャンプー、リンス、ボディソープ等の複数のポンプ式液体容器を外容器で覆って一体にすると共に、各ポンプヘッドの押し間違いを防止できるようにした、複数ポンプ式液体容器を提供する。【解決手段】  容器本体１４の上部に設けられたポンプヘッド１７を所定ストローク押し下げて内部のシャンプー等をノズル１８から排出するポンプ式液体容器１２と、該ポンプ式液体容器１２を複数本収納して一体に保持する外容器１３とからなる複数ポンプ式液体容器１１であって、隣接して収納されるポンプ式液体容器１２、１２の互いのポンプヘッド１７、１７は、少なくともポンプヘッド１７の押し下げストロークＬ１以上の高さの違いをもって配設した構成である。【選択図】      図１
2006027699.tif 000002
【特許請求の範囲】
【請求項１】
容器本体の上部に設けられたポンプヘッドを所定ストローク押し下げて内部の液体をノズルから排出するポンプ式液体容器と、該ポンプ式液体容器を複数本収納して一体に保持する外容器とからなる複数ポンプ式液体容器であって、
隣接して収納されるポンプ式液体容器の互いのポンプヘッドは、少なくともポンプヘッドの押し下げストローク以上の高さの違いをもって配設したことを特徴とする複数ポンプ式液体容器。
【請求項２】
それぞれのポンプヘッドには、形状の異なる印を形成したことを特徴とする請求項１に記載の複数ポンプ式液体容器。
【請求項３】
外容器の両サイドに収納されるポンプ式液体容器は、それぞれポンプヘッドを前記両サイド寄りの位置に設けたことを特徴とする請求項１に記載の複数ポンプ式液体容器。
【請求項４】
外容器に収納されたポンプ式液体容器の底部は、前記外容器の内側に形成された保持手段で保持されていることを特徴とする請求項１に記載の複数ポンプ式液体容器。
【請求項５】
外容器は、開閉自在に形成されており、且つ外容器に収納されるポンプ式液体容器は、出し入れ自在であることを特徴とする請求項１に記載の複数ポンプ式液体容器。
【請求項６】
外容器の側部には、前記ポンプ式液体容器の液体残量を確認するための確認孔が形成されていることを特徴とする請求項１に記載の複数ポンプ式液体容器。
【請求項７】
外容器の底部には、排出口が形成されていることを特徴とする請求項１に記載の複数ポンプ式液体容器。
【発明の詳細な説明】
【技術分野】
【０００１】
本発明は、例えばシャンプー、リンス、ボディソープ等の複数の容器を外容器で覆って一体にした、複数ポンプ式液体容器に関するものである。
【背景技術】
【０００２】
従来のポンプ式液体容器としては、次のような構成の洗髪液入りダブル容器が知られている。このダブル容器は、円筒形の容器本体の内部に仕切部を設けて２つの液室を形成している。そして、各液室内の液体を排出するためのポンプを容器本体に別々に２つ設けている。また、２つのポンプは、ポンプヘッドの大きさをそれぞれ異ならせて形成している（特許文献１参照）。
【０００３】
このような構成のダブル容器は、各液室にシャンプーとリンスとを別々に収納しておき、使用時にポンプヘッドを所定ストローク押し下げて液室内の液体をノズルから排出するのである。また、２つのポンプヘッドの大きさを異ならせることで、ポンプの押し間違いを防止している。
【特許文献１】実開平５−８５３０３号公報（第１頁及び第２頁、図１及び図２）。
【発明の開示】
【発明が解決しようとする課題】
【０００４】
この従来例のダブル容器においては、２つのポンプヘッドの位置が同じ高さであることから、一方のポンプヘッドを押すときに、誤って他方のポンプヘッドも一緒に押してしまうおそれがあるという問題点を有している。
【０００５】
従って、従来例におけるダブル容器においては、ポンプヘッドの押し間違いを確実に防止できるようにすること等に解決しなければならない課題を有している。
【課題を解決するための手段】
【０００６】
前記従来例の課題を解決する具体的手段として本発明は、容器本体の上部に設けられたポンプヘッドを所定ストローク押し下げて内部の液体をノズルから排出するポンプ式液体容器と、該ポンプ式液体容器を複数本収納して一体に保持する外容器とからなる複数ポンプ式液体容器であって、隣接して収納されるポンプ式液体容器の互いのポンプヘッドは、少なくともポンプヘッドの押し下げストローク以上の高さの違いをもって配設したことを特徴とする複数ポンプ式液体容器を提供するものである。
【０００７】
また、それぞれのポンプヘッドには、形状の異なる印を形成した構成としたものであり、そして、外容器の両サイドに収納されるポンプ式液体容器は、それぞれポンプヘッドを前記両サイド寄りの位置に設けた構成としたものであり、更に、外容器に収納されたポンプ式液体容器の底部は、前記外容器の内側に形成された保持手段で保持されている構成としたものであり、更にまた、外容器は、開閉自在に形成されており、且つ外容器に収納されるポンプ式液体容器は、出し入れ自在である構成としたものであり、また、外容器の側部には、前記ポンプ式液体容器の液体残量を確認するための確認孔が形成されている構成としたものであり、そして、外容器の底部には、排出口が形成されている構成としたものである。
【発明の効果】
【０００８】
本発明に係る複数ポンプ式液体容器は、隣接して収納されるポンプ式液体容器の互いのポンプヘッドを、少なくともポンプヘッドの押し下げストローク以上の高さの違いをもって配設したことによって、一方のポンプヘッドを手で押すときに、誤って他方のポンプヘッドも一緒に押してしまうというミスを防止できるという優れた効果を奏する。
【０００９】
また、それぞれのポンプヘッドには、形状の異なる印を形成したことによって、ポンプヘッドを手のひらで触れれば収納されている液体の種類が判別できるので、洗髪時にポンプヘッドの押し間違いを防止できるという優れた効果を奏する。
【００１０】
そして、外容器の両サイドに収納されるポンプ式液体容器は、それぞれポンプヘッドを前記両サイド寄りの位置に設けたことによって、ポンプヘッドの間隔が最大限に広がるので、ポンプヘッドの押し間違いを防止できると共に、使い易くなるという優れた効果を奏する。
【００１１】
更に、外容器に収納されたポンプ式液体容器の底部は、前記外容器の内側に形成された保持手段で保持されていることによって、容器本体に加わる力が保持手段によって分散されるので安定的に保持できると共に、容器本体の破損等を防止できるという優れた効果を奏する。
【００１２】
更にまた、外容器は、開閉自在に形成されており、且つ外容器に収納されるポンプ式液体容器は、出し入れ自在であることによって、容器本体の洗浄や液体の詰め替え作業が容易に行えるという優れた効果を奏する。
【００１３】
また、外容器の側部には、前記ポンプ式液体容器の液体残量を確認するための確認孔が形成されていることによって、特に容器本体が透明性を有するように形成されている場合は、液体の残量を容易に確認できるので便利であるという優れた効果を奏する。
【００１４】
そして、外容器の底部には、排出口が形成されていることによって、外容器と容器本体との間に侵入した液体等を排出口から排出できるので、衛生的であるという優れた効果を奏する。
【発明を実施するための最良の形態】
【００１５】
次に、本発明の実施の形態について図面を参照しながら説明する。まず、図１は、複数ポンプ式液体容器１１の斜視図であり、図２は、内部を表した状態の斜視図である。この複数ポンプ式液体容器１１は、ポンプ式液体容器１２と、このポンプ式液体容器１２を複数本収納して一体に保持する外容器１３とから構成される。
【００１６】
ポンプ式液体容器１２は、図３に示すように、容器本体１４と、この容器本体１４に設けられるポンプ１５とからなる。
【００１７】
容器本体１４は、プラスチック等の合成樹脂材で所要形状に形成されると共に、上部に口部１４ａが形成されている。また、容器本体１４は、望ましくは透明性を有するように形成されことがよい。つまり、容器本体１４に収納される液体の残量が視認できる程度の透明性があれば、残量確認が容易にできて便利だからである。
【００１８】
また、容器本体１４の底部１６は、所謂漏斗状に形成されており、底部１６の最下部１６ａにシャンプー等の液体が集中して溜まるようになっている。
【００１９】
ポンプ１５は、ポンプヘッド１７と、このポンプヘッド１７に設けられるノズル１８と、容器本体１４の口部１４ａに取り付けるリング状のネジ式キャップ１９と、容器本体１４の内部に垂下するチューブ２０とを有しており、このチューブ２０の下端部２０ａが容器本体１４の最下部１６ａ近傍に位置するようになっている。
【００２０】
このように構成されるポンプ１５は、使用時にポンプヘッド１７を所定ストローク押し下げることにより、容器本体１４内のシャンプー等をチューブ２０で吸い上げて、ノズル１８から排出する仕組みになっている。従って、チューブ２０の下端部２０ａが容器本体１４の最下部１６ａ近傍に位置することによって、シャンプー等をほぼ残らず吸引できることとなる。
【００２１】
外容器１３内に、隣接して収納されるポンプ式液体容器１２の互いのポンプヘッド１７、１７の設置位置は、図２に示すように、少なくともポンプヘッド１７の押し下げストロークＬ１以上の高さの違いを有するように構成されている。このように、ポンプヘッド１７、１７の設置位置に高さの違いを設けたことにより、一方のポンプヘッド１７を手で押すときに、誤って他方のポンプヘッド１７も一緒に押してしまうというミスを防止できることとなる。
【００２２】
また、それぞれのポンプヘッド１７、１７には、形状の異なる印２１、２１が形成されている。このように、印２１、２１をそれぞれ異ならせることによって、ポンプヘッド１７を手のひらで触れれば収納されている液体の種類が判別できるので、洗髪時にポンプヘッドの押し間違いを防止できる。
【００２３】
外容器１３の両サイド１３ａに収納されるポンプ式液体容器１２は、図１及び図２に示すように、ポンプヘッド１７を両サイド１３ａ寄りの位置に設けている。つまり、ポンプヘッド１７ａを容器本体１４の端部に寄せることによって（図３参照）、ポンプヘッド１７、１７の間隔Ｌ２を最大限に広げることができるので（図１参照）、ポンプヘッド１７、１７の押し間違いを防止できると共に、使い易くなる。
【００２４】
外容器１３は、プラスチック等の合成樹脂材で形成されると共に、複数本、例えば３本のポンプ式液体容器１２を一体に覆って保持する所要の形状に形成されている。
【００２５】
また、外容器１３は、図４に示すように、側部及び上部に設けた切れ目２２及び折れ目２３を介して開閉自在に形成されると共に、複数本のポンプ式液体容器１２を出し入れ自在に収納している。従って、任意のポンプ式液体容器１２を取り出して洗浄やシャンプー等の詰め替え作業を容易に行える。
【００２６】
閉状態にした外容器１３は、図５に示すように、ネジ式キャップ１９近傍において、ネジ式のリング３２でロックできるように構成されている。また、リング３２は、それぞれのポンプ式液体容器１２によって色を異ならせることにより、リングの色で収納されている液体の種類が判別できるようにしてもよい。
【００２７】
なお、外容器１３の開閉状態は、図６に示すように、側部、上部及び底部に設けた切れ目２８及び折れ目２９を介して横方向に開閉自在に形成してもよい（図６矢印参照）。あるいは、図７に示すように、側部の周方向に設けた切れ目３０から外容器１３の一部を取外し可能に形成してもよい（図７矢印参照）。図７中の符号３１は、外容器１３の一部を取り外すときにノズルが１８が引っ掛らないようにするための切欠部を示す。
【００２８】
また、外容器１３の内側における底部近傍には、図２及び図９に示すように、突部２４（保持手段）が複数箇所に設けられており、容器本体１４の底部１６が突部２４で保持されるようになっている。従って、容器本体１４に加わる力が突部２４によって分散されるので安定的に保持できると共に、容器本体の破損等を防止できる。
【００２９】
外容器１３の側部には、図８に示すように、ポンプ式液体容器１２の液体残量を確認するための確認孔２５が形成されている。従って、容器本体１３が透明性を有する場合には、液体の残量を容易に確認できるので便利である。
【００３０】
外容器１３の底部２６には、図２及び図９に示すように、排出口２７が形成されている。この排出口によって、外容器１３と容器本体１４との間に侵入した液体等を排出口２７から排出できるので衛生的である。
【図面の簡単な説明】
【００３１】
【図１】本発明に係る複数ポンプ式液体容器１１の斜視図である。
【図２】同複数ポンプ式液体容器１１の内部を表した状態の斜視図である。
【図３】ポンプ式液体容器１２の断面図である。
【図４】外容器１３の開状態を説明する、複数ポンプ式液体容器１１の斜視図である。
【図５】リング３２を分離した状態で、且つ複数ポンプ式液体容器１１の内部を表した状態の斜視図である。
【図６】外容器１３の他の実施例の開状態を説明する、複数ポンプ式液体容器１１の内部を表した状態の斜視図である。
【図７】外容器１３の他の実施例の開状態を説明する、複数ポンプ式液体容器１１の内部を表した状態の斜視図である。
【図８】本発明に係る複数ポンプ式液体容器１１の背面側を示し、内部を表した状態の斜視図である。
【図９】同複数ポンプ式液体容器１１の要部の断面図である。
【符号の説明】
【００３２】
１１  複数ポンプ式液体容器
１２  ポンプ式液体容器
１３  外容器
１３ａサイド
１４  容器本体
１４ａ口部
１５  ポンプ
１６  底部
１６ａ最下部
１７  ポンプヘッド
１８  ノズル
１９  ネジ式キャップ
２０  チューブ
２０ａ下端部
２１  印
２２  切れ目
２３  折れ目
２４  突部（保持手段）
２５  確認孔
２６  底部
２７  排出口
２８  切れ目
２９  折れ目
３０  切れ目
３１  切欠部
３２  リング
【図１】
2006027699.tif 000003
【図２】
2006027699.tif 000004
【図３】
2006027699.tif 000005
【図４】
2006027699.tif 000006
【図５】
2006027699.tif 000007
【図６】
2006027699.tif 000008
【図７】
2006027699.tif 000009
【図８】
2006027699.tif 000010
【図９】
2006027699.tif 000011